(57)【要約】【課題】  脚部を閉じる筋肉を鍛えることが可能であり、また、骨盤、大腿骨の連鎖運動を改善する運動が可能な健康器具を提供する。  【解決手段】  この健康器具１は、両大腿部で挟持可能な挟持部２と、着座状態で挟持部２を両大腿部で挟んだときに、両大腿部上に載置可能な箱状に形成された本体部３と、着座状態で挟持部２を両大腿部で挟み、本体部３を両大腿部上に載せたときに、膝側から一方の大腿部上を通り、さらに腰側から他方の大腿部上を通って膝側に至る回転面に沿って回転可能に本体部内に収納された錘部と、この錘部を回転面に沿って回転させる駆動部と、この駆動部を制御する制御部とを備えている。この健康器具１を用いれば、この健康器具１が両大腿部からはずれないよう、両大腿部で挟持部２を挟み、錘部の回転を受け止めることで、両大腿部を閉じる筋肉を鍛えることができる。【選択図】  図１
2008188346.tif 000002
【特許請求の範囲】
【請求項１】
両大腿部で挟持可能な挟持部と、
着座状態で前記挟持部を両大腿部で挟んだときに、両大腿部上に載置可能な箱状に形成された本体部と、
着座状態で前記挟持部を両大腿部で挟み、前記本体部を両大腿部上に載せたときに、膝側から一方の大腿部上を通り、さらに腰側から他方の大腿部上を通って膝側に至る回転面に沿って回転可能に前記本体部内に収納された錘部と、
この錘部を前記回転面に沿って回転させる駆動部と、
この駆動部を制御する制御部と
を備えることを特徴とする健康器具。
【請求項２】
請求項２に記載の健康器具において、
前記本体部は、着座状態で前記挟持部を両大腿部で挟み、前記本体部を両大腿部上に載せたときに、腰側から膝側を向く前後方向の幅や、腰側から膝側を向く方向を前後方向としたときの左右方向の幅に比べ、上下方向の幅が小さい形状に形成されていることを特徴とする健康器具。
【請求項３】
請求項１，２のいずれかに記載の健康器具において、
前記錘部は、着座状態で前記挟持部を前記両大腿部で挟み、前記本体部を前記両大腿部上に載せたときに、腰側よりも膝側のほうが高くなるように傾いた回転面に沿って回転可能に前記本体部内に収納されていることを特徴とする健康器具。
【請求項４】
請求項３に記載の健康器具において、
前記錘部は、前記水平面に対して、８°〜２８°傾斜した回転面に沿って回転するように前記本体部内に収納されていることを特徴とする健康器具。
【請求項５】
請求項１〜４のいずれかに記載の健康器具において、
前記挟持部が大腿部に挟持される挟付方向に沿った前記挟持部の幅は、握ったこぶしの指の配列方向に沿った方向の幅と略同じ幅の厚みで形成されていることを特徴とする健康器具。
【請求項６】
請求項１〜５のいずれかに記載の健康器具において、
回転数を指定する操作を受け付ける操作受付手段を備え、
前記制御部は、前記操作受付手段が受け付けた操作で指定された前記回転数に従って前記錘部を回転させるよう、前記駆動部を制御することを特徴とする健康器具。
【請求項７】
請求項１〜６のいずれかに記載の健康器具において、
前記制御部は、１５０〜２５０ｒｐｍの回転数で前記錘部を回転させるよう、前記駆動部を制御し、
前記錘部は、前記制御部が前記回転数で回転したとき、３〜５Ｎの遠心力が働く重さで形成されていることを特徴とする健康器具。
【請求項８】
請求項１〜７のいずれかに記載の健康器具において、
前記挟持部は、前記大腿部に接する接触面に滑止手段を備えることを特徴とする健康器具。
【請求項９】
請求項１〜８のいずれかに記載の健康器具において、
前記挟持部は、
前記腰側から前記膝側に向かう方向に沿った幅が、１３ｃｍから１５ｃｍの幅で形成されていることを特徴とする健康器具。
【請求項１０】
請求項１〜９のいずれかに記載の健康器具において、
前記両大腿部が当接する前記本体部の下面と、前記両大腿部が当接する前記挟持部の側面の形状が、大腿部に沿った形状に形成されていることを特徴とする健康器具。
【請求項１１】
請求項１〜１０のいずれかに記載の健康器具において、
前記制御部は、
所定時間ずつ段階的に回転数を変化させて錘部を回転させるよう前記駆動部を制御することを特徴とする健康器具。
【請求項１２】
請求項１〜１１のいずれかに記載の健康器具において、
前記本体部は、着座状態で前記挟持部を両大腿部で挟み、前記本体部を両大腿部上に載せたときに平面視で見て視認できる上部側面に、円状に並べて配置された複数の発光部を備え、
前記制御部は、前記錘部の回転速度に応じた速度で前記発光部の並び方向に前記発光部を順次点灯させることを特徴とする健康器具。
【請求項１３】
請求項１〜１２のいずれかに記載の健康器具において、
前記本体部は、着座状態で前記挟持部を両大腿部で挟み、前記本体部を前記両大腿部上に載せた当該本体部を平面視で見て、前記本体部の周辺部のうち前記両大腿部側に、取手部が形成されていることを特徴とする健康器具。
【発明の詳細な説明】
【技術分野】
【０００１】
本発明は、健康器具に関する。
【発明の開示】
【発明が解決しようとする課題】
【０００２】
本発明は、脚部を閉じる筋肉を鍛えることが可能であり、また、骨盤、大腿骨の連鎖運動を改善する運動が可能な健康器具を提供することを目的とする。
【課題を解決するための手段】
【０００３】
上記目的を達成するための請求項１に記載した健康器具は、両大腿部で挟持可能な挟持部と、着座状態で前記挟持部を両大腿部で挟んだときに、両大腿部上に載置可能な箱状に形成された本体部と、着座状態で前記挟持部を両大腿部で挟み、前記本体部を両大腿部上に載せたときに、膝側から一方の大腿部上を通り、さらに腰側から他方の大腿部上を通って膝側に至る回転面に沿って回転可能に前記本体部内に収納された錘部と、この錘部を前記回転面に沿って回転させる駆動部と、この駆動部を制御する制御部とを備えることを特徴とする。
【０００４】
この健康器具は、本体部を両大腿部の上に載せて、挟持部を両大腿部で挟み、錘部が回転するよう駆動部を制御部で制御すると、錘部が両大腿部上で回転する。このとき、錘部は遠心力により、膝側、両大腿部側、腰側に振られるので、両大腿部を閉じてしっかり挟持部を挟んでおかないと、健康器具が両大腿部から外れてしまう。
【０００５】
したがって、この健康器具を用いれば、この健康器具が両大腿部からはずれないよう、両大腿部をしっかり閉じる運動をさせることで、両大腿部を閉じる筋肉を鍛えることができる。また、この健康器具を用いれば、骨盤、大腿骨の連鎖運動を改善する運動ができる。
【０００６】
次に、請求項２に記載したように、本発明の健康器具の本体部は、着座状態で挟持部を両大腿部で挟み、本体部を両大腿部上に載せたときに、腰側から膝側を向く前後方向の幅や、腰側から膝側を向く方向を前後方向としたときの左右方向の幅に比べ、上下方向の幅が小さい形状に形成されていることが好ましい。本体部がこのように形成されていれば、円運動をする錘部をコンパクトに収納することができる。
【０００７】
次に、請求項３に記載したように、錘部は、着座状態で挟持部を両大腿部で挟み、前記本体部を前記両大腿部上に載せたときに、腰側よりも膝側のほうが高くなるように傾いた回転面に沿って回転可能に前記本体部内に収納されている。両大腿部は膝側に向かって細くなる構造を有するとともに、腰を支点に可動するので、挟持部を挟むとき、挟持部の腰側よりも膝側部分に力を入れて挟むことができない。そのため、錘部を水平面に沿って回転させると、本発明の健康器具は膝側に倒れやすい。しかし、本発明のように、腰側よりも膝側のほうが高くなるように傾いた回転面に沿って錘部を回転させれば、膝側では遠心力が斜め上方にかかるようになり、遠心力の水平方向成分が小さくなるので、膝側に倒れることなく、挟持部を大腿部で安定的に挟みつけることができる。
【０００８】
尚、請求項４に記載したように、錘部は、水平面に対して、８°〜２８°傾斜した回転面に沿って回転するように本体部内に収納されていることが好ましい。
次に、請求項５に記載したように、挟持部が大腿部に挟持される挟付方向に沿った挟持部の幅は、握ったこぶしの指の配列方向に沿った方向の幅と略同じ幅の厚みで形成されていることが好ましい。上記のようなこぶし幅が、両大腿部でもっとも力を入れて挟持部を挟むことができるからである。尚、握ったこぶしの指の配列方向に沿った方向の幅と略同じ幅の厚みとは、具体的には約５ｃｍ〜１０ｃｍである。より好ましくは、約６．５ｃｍ〜８．５ｃｍである。
【０００９】
次に、請求項６に記載したように、回転数を指定する操作を受け付ける操作受付手段を備え、制御部は、操作受付手段が受け付けた操作で指定された回転数に従って錘部を回転させるよう、駆動部を制御することが好ましい。このようにすれば、ユーザーの操作に従って錘部の回転数を変えることで負荷を自由に変えることができるので、ユーザーの好みに合わせた運動を行うことができる。
【００１０】
次に、請求項７に記載したように、制御部は、１５０〜２５０ｒｐｍの回転数で錘部を回転させるよう、駆動部を制御し、錘部は、制御部が回転数で回転したとき、３〜５Ｎの遠心力が働く重さで形成されていることが好ましい。両大腿部の筋肉を鍛えるには、この請求項７に記載されているパラメータで運転されることが好ましい。これ以上大きいと過負荷となって両大腿部の筋肉を痛め、小さいと負荷が小さすぎて両大腿部を効果的に鍛えることができない恐れがある。
【００１１】
次に、請求項８に記載したように、挟持部は、大腿部に接する接触面に滑止手段を備えていることが好ましい。
次に、請求項９に記載したように、挟持部は、腰側から膝側に向かう方向に沿った幅が、１３ｃｍから１５ｃｍの幅で形成されていることが好ましい。これ以下の幅で挟持部を形成すると、大腿部で挟みにくく、これ以上の幅で挟持部を形成すると、挟持部を挟んでも錘部の回転による負荷を楽に保持できるので、両大腿部を効果的に鍛えることができない恐れがある。
【００１２】
次に、請求項１０に記載したように、両大腿部が当接する本体部の下面と、両大腿部が当接する挟持部の側面の形状が、大腿部に沿った形状に形成されていることが好ましい。このような形状に形成されていると、錘部が回転することによって生じる負荷を、ばらつきなく両大腿部に伝えることができる。
【００１３】
次に、請求項１１に記載したように、制御部は、所定時間ずつ段階的に回転数を変化させて錘部を回転させるよう駆動部を制御させてもよい。このようにすると、大腿部にかかる負荷に変化が生まれて、ユーザーを飽きさせることがない。
【００１４】
次に、請求項１２に記載したように、本体部は、着座状態で挟持部を両大腿部で挟み、本体部を両大腿部上に載せたときに平面視で見て視認できる上部側面に、円状に並べて配置された複数の発光部を備え、制御部は、錘部の回転速度に対応した速度で発光部の並び方向に発光部を順次点灯させてもよい。このようにすると、錘部の回転速度が速いときは、発光部が早い速度で順次点灯し、回転速度が遅いときは遅い速度で順次点灯して、ユーザーにわかり易く、錘部の回転によって大腿部にかかる負荷を表示することができる。
【００１５】
次に、請求項１３に記載したように、本体部は、着座状態で挟持部を両大腿部で挟み、本体部を両大腿部上に載せた本体部を平面視で見て、本体部の周辺部のうち両大腿部側に、取手部が形成されていてもよい。この健康器具は、取手部を両手で持つと、手に錘部の回転の負荷がかかるので、両腕の筋肉も鍛えることができる。
【発明を実施するための最良の形態】
【００１６】
以下、本発明が適用された実施形態について説明する。
ここで、図１は本実施形態の健康器具１の斜視図であり、図２は本実施形態の健康器具１の平面図、図３は本実施形態の健康器具１の背面図、図４は本実施形態の健康器具１の背面図であって図２中のＡ−Ａ’断面図、図５は本実施形態の健康器具１の左側面図、図６は本実施形態の健康器具１の左側面図であって図２中のＢ−Ｂ’断面図である。
【００１７】
尚、以下の説明では、着座状態で挟持部２を両大腿部で挟み、本体部３を両大腿部上に載せたときに、腰側から膝側を向く方向に沿った方向を前後方向（膝側が前、腰側が後）、腰側から膝側を向く方向を前後方向としたときに右手側から左手側を向く方向に沿った方向を左右方向（左手側が左、右手側が右）、重力方向に沿った方向を上下方向（地面側を下、空側を上）と呼ぶ。
１．全体構成
本実施形態の健康器具１は、図１に示すように、人間の両大腿部で挟持可能な挟持部２と、正座した人間や、イスに腰掛けた人間が、着座状態で挟持部２を挟んだときに、両大腿部上に載置可能な箱状に形成された本体部３とからなる。
【００１８】
このうち本体部３は、挟持部２を人間の両大腿部で挟んで両大腿部上に置いたときに、上下方向よりも、前後左右に幅広な箱状に形成され、また、前後方向よりも左右方向に幅広な形状に形成されている。
そして、挟持部２は、図３及び図５に示すように、この本体部３の下面３ａの前方側、左右方向中央から略下方に向かって延設されるように、本体部３に対し一体に形成されている。また、この挟持部２は、図１に示すように、左右方向よりも、前後上下に幅広な形状に形成されている。
次に、各構成について、詳細に説明する。
２．挟持部
挟持部２は、図３に示すように、挟持部２を人間の両大腿部で挟んで両大腿部上に本体部３を置いたときに、両大腿部が当接する本体部３の下面３ａと、両大腿部が当接する挟持部２の左右の各接触面２ａ，２ａとは、当接する両大腿部に沿った連続する曲線形状に形成されている。
詳細には、両大腿部が当接する本体部３の下面３ａから、両大腿部が当接する挟持部２の左右の各接触面２ａ，２ａの上下方向中程までは、Ｒ６０の曲面（健康器具１の外側の中心点を基準に６０ｍｍの半径で円を描いたときの円弧に沿った曲面）で形成されている。
また、この挟持部２は、図５に示すように、前後方向の幅が１４ｃｍで構成されている。さらに、この挟持部２は、図３に示すように、左右方向の幅のうちもっとも太い部分の幅２ｂが、人間がこぶしを握ったとき、そのこぶしの指の配列方向に沿った方向の幅と略同じ幅の厚み（具体的には７．５ｃｍ）で形成されている。またこの挟持部２は、図１に示すように、各大腿部に当接する左右方向の各接触面２ａ，２ａに、滑止部２０が形成されている。
３．本体部
本体部３は、図２に示すように、左右方向の両側に取手部３０を備えている。この取手部３０は前後方向に長尺な形状に形成されており、前方側と後方側がそれぞれ本体部３に対し固定され、その中央部を把持できるように取り付けられている。そして各取手部３０の前方上側の側面には、複数の操作スイッチ３２（操作受付手段に相当する）が設置されている。
【００１９】
また、図１に示すように、本体部３の上面３ｂの中央には、中央部がくぼんだ（図１参照）円形の意匠３４が施されており、この意匠３４中の左側には、ランプ３６が円形状に並べられた回転表示部３６が設けられている。
【００２０】
さらに、図５に示すように、本体部３の上面３ｂは、挟持部２を人間の両大腿部で挟んで両大腿部上に本体部３を置いたときに、後側よりも前側の方が高くなるように傾いた傾斜面を形成している。その傾斜角度は、下面３ａを水平に配置したとき１８°傾いた角度である。
４．内部構造
次に、本実施形態の健康器具１の内部構造について説明する。
【００２１】
本実施形態の健康器具１は、図４に示すように、挟持部２及び本体部３が一体に形成されるとともに、中空形状に形成されている。
この健康器具１内には、図６に示すように、意匠３４の円中心と同軸状にシャフト４０ａが配置されたモータ４０（駆動部に相当する）と、このモータ４０のシャフト４０ａから、このシャフト４０ａの軸方向に対し垂直な方向に延設されたクランク棒４２と、このクランク棒４２の遊端に取り付けられた錘４４とを備えている。また、健康器具１内には、操作スイッチ３２で受け付けた操作に従ってモータ４０の回転数を制御する制御部４６が備えられている。
【００２２】
そして、モータ４０、クランク棒４２は、挟持部２を人間の両大腿部で挟んで両大腿部上に本体部３を置いたときに、後側よりも前側の方が高くなる回転面であって、本体部３の下面３ａに対し１８°傾いた回転面に沿って、錘４４が回転するように、健康器具１の内部に設置されている。
【００２３】
また、クランク棒４２は、挟持部２を人間の両大腿部で挟んで両大腿部上に本体部３を置いたときに、錘４４が、前側から一方の大腿部上を通り、後側から他方の大腿部上を通って前側に至る回転面上を錘４４が通る長さに形成されている。具体的には、モータ４０のシャフト４０ａの中心軸から、錘４４の取付軸４４ａの中心（シャフト４０ａに取り付けられる部分）までの長さは９ｃｍである。
【００２４】
さらに、錘は、２５０ｇのものが取り付けられている。
５．制御部４６で実行される本実施形態の特徴的な制御
５．１．マニュアル制御
次に、本実施形態の健康器具１で実行されるマニュアル制御について説明する。
【００２５】
ここで、図７は、マニュアル制御のフローチャートである。
このマニュアル制御（Ｓ１）は、図７に示すように、マニュアル制御を実行する旨の操作が操作スイッチ３２に対してなされたら実行される。
【００２６】
そしてまず、低速運転、中速運転、高速運転のいずれかを行うよう指示する操作がなされているか否かが判定される（Ｓ１０）。
この判定（Ｓ１０）で、低速運転を行うよう指示する操作がなされたと判定されたら（Ｓ１０：低速）、モータ４０を１５０ｒｐｍで回転するよう制御する低速制御を実行する（Ｓ１２）。また、この判定（Ｓ１）で、中速運転を行うよう指示する操作がなされたと判定されたら（Ｓ２：中速）、モータ４０を２１０ｒｐｍで回転するよう制御する中速制御を実行する（Ｓ１４）。さらに、この判定（Ｓ１）で、高速運転を行うよう指示する操作がなされたと判定されたら（Ｓ１：高速）、モータ４０を２３０ｒｐｍで回転するよう制御する高速制御を実行する（Ｓ１６）。
そして、低速制御（Ｓ１２）が実行されたら、回転表示部３６に対し、低速で回転しながら点滅する表示を行う低速点滅制御（Ｓ２２）を実行し、Ｓ２８の処理が実行される。また、中速制御（Ｓ１４）が実行されたら、回転表示部３６に対し、中速で回転しながら点滅する表示を行う中速点滅制御（Ｓ２４）を実行し、Ｓ２８の処理が実行される。さらに、高速制御（Ｓ１６）が実行されたら、回転表示部３６に対し、高速で回転しながら点滅する表示を行う高速点滅制御（Ｓ２６）をも実行し、再び、Ｓ２８の処理が実行される。
次に、Ｓ２８では、運転を停止することを指示する操作が操作スイッチ３２に対してなされたか否かを判定し、この判定（Ｓ２８）で、運転を停止する操作がなされたと判定されたら（Ｓ２８：ＹＥＳ）、本処理（Ｓ１）を終了する。一方、運転を停止する操作がなされていないと判定されたら（Ｓ２８：ＮＯ）、再びＳ１０の処理を実行し、運転の切り替え操作がなされると、切り替え後の速度で運転がなされる。
５．２．自動制御
次に、本実施形態の健康器具１で実行される自動制御について説明する。
【００２７】
ここで図８は、本実施形態の健康器具１で実行される自動制御のフローチャートである。
この自動制御（Ｓ５）は、この制御を実行する旨の操作が操作スイッチ３２に対して行われると実行される。
この自動制御（Ｓ５）が実行されると、Ｓ１２と同様の低速制御を実行し（Ｓ５２）、Ｓ２２と同様の低速点滅制御（Ｓ５４）を実行する。その後、所定時間経過したか否かが判定され（Ｓ５６）、所定時間経過していないと判定されたら（Ｓ５６：ＮＯ）、Ｓ５２及びＳ５４の処理を継続する。一方、所定時間経過したと判定されたら（Ｓ５６：ＹＥＳ）、Ｓ６２の処理を実行する。
次に、Ｓ６２ではＳ１４と同様の中速制御が実行され、次いでＳ２４と同様の中速点滅制御（Ｓ６４）が実行される。その後、所定時間経過したか否かが判定され（Ｓ６６）、所定時間経過していないと判定されたら（Ｓ６６：ＮＯ）、Ｓ６０及びＳ６２の処理を継続する。一方、所定時間経過したと判定されたら（Ｓ６６：ＹＥＳ）、Ｓ７２の処理を実行する。
次に、Ｓ７２ではＳ１６と同様の高速制御が実行され、次いでＳ２６と同様の高速点滅制御（Ｓ７４）が実行される。その後、所定時間経過したか否かが判定され（Ｓ７６）、所定時間経過していないと判定されたら（Ｓ７６：ＮＯ）、Ｓ７０及びＳ７２の処理を継続する。一方、所定時間経過したと判定されたら（Ｓ７６：ＹＥＳ）、Ｓ８０の処理を実行する。
そして、Ｓ８０では、自動制御を終了する操作が操作スイッチ３２に対してなされたか否かが判定され、終了する操作がなされたと判定されたら（Ｓ８０：ＹＥＳ）、本処理（Ｓ５）を終了する。一方、終了する操作がなされていないと判定されたら（Ｓ８０：ＮＯ）、再びＳ５２の処理からＳ８０までの処理が実行される。
６．本実施形態の特徴的な効果
この健康器具１は、本体部３を両大腿部の上に載せて、挟持部２を両大腿部で挟み、錘４４が回転するようモータ４０を制御部４６で制御すると、錘４４が両大腿部上で回転する。このとき、錘４４は遠心力により、膝側、両大腿部側、腰側に振られるので、両大腿部を閉じてしっかり挟持部２を挟んでおかないと、健康器具１が両大腿部から外れてしまう。
【００２８】
したがって、この健康器具１を用いれば、この健康器具１が両大腿部からはずれないよう、両大腿部をしっかり閉じる運動をさせることで、両大腿部を閉じる筋肉を鍛えることができる。また、この健康器具１を用いれば、骨盤、大腿骨の連鎖運動を改善する運動ができる。
【００２９】
また、本実施形態の健康器具１の本体部３は、着座状態で挟持部２を両大腿部で挟み、本体部３を両大腿部上に載せたときに、前後方向の幅や、左右方向の幅に比べ、上下方向の幅が小さい形状に形成されている。そのため本体部３がこのように形成されていれば、円運動をする錘４４をコンパクトに収納することができる。
【００３０】
また、本実施形態の健康器具１では、錘４４は、着座状態で挟持部２を両大腿部で挟み、本体部３を両大腿部上に載せたときに、腰側よりも膝側のほうが高くなるように水平面に対して１８°傾いた回転面に沿って回転可能に本体部３内に収納されている。両大腿部は膝側に向かって細くなる構造を有するとともに、腰を支点に可動するので、挟持部２を挟むとき、挟持部２の腰側よりも膝側部分に力を入れて挟むことができにくい。そのため、錘４４を水平面に沿って回転させると、本実施形態の健康器具１は膝側に倒れやすい。しかし、本実施形態のように、腰側よりも膝側のほうが高くなるように傾いた回転面に沿って錘４４を回転させれば、膝側では遠心力が斜め上方にかかるようになり、遠心力の水平方向成分が小さくなるので、膝側に倒れることなく、挟持部２を大腿部で安定的に挟みつけることができる。
【００３１】
また、本実施形態の健康器具１では、挟持部２が大腿部に挟持される挟付方向に沿った挟持部の幅２ｂが、握ったこぶしの指の配列方向に沿った方向の幅と略同じ幅の厚みの７．５ｃｍで形成されている。このようなこぶし幅が、両大腿部でもっとも力を入れて挟持部２を挟むことができるからである。
【００３２】
また、本実施形態の健康器具１では、マニュアル操作を実行すると、操作スイッチ３２に対し回転数を指定する操作をすると、制御部４６は、その指定された回転数に従って錘４４を回転させるよう、モータ４０を制御している。このようにすれば、ユーザーの操作に従って錘４４の回転数を変えることで負荷を自由に変えることができるので、ユーザーの好みに合わせた運動を行うことができる。
【００３３】
また、本実施形態の健康器具１では、１５０〜２５０ｒｐｍの回転数で錘４４を回転させるよう、モータ４０を制御しているが、このとき錘４４は、３〜５Ｎ程度の遠心力が働く重さで形成されている。両大腿部の筋肉を鍛えるには、このような遠心力で運転されることが好ましい。これ以上大きいと過負荷となって両大腿部の筋肉を痛め、小さいと負荷が小さすぎて両大腿部を効果的に鍛えることができない恐れがあるからである。
【００３４】
また、本実施形態の健康器具１では、両大腿部が当接する本体部３の下面と、両大腿部が当接する挟持部２の側面の形状が、大腿部に沿った形状に形成されている。このような形状に形成されていると、錘４４が回転することによって生じる負荷を、ばらつきなく両大腿部に伝えることができる。
【００３５】
また、本実施形態の健康器具１では、制御部４６は、自動制御（Ｓ５）を実行すると、所定時間ずつ段階的に回転数を変化させて錘４４を回転させることができる。このようにすると、大腿部にかかる負荷に変化が生まれて、ユーザーを飽きさせることがない。
【００３６】
また、本実施形態の健康器具１では、本体部３は、着座状態で挟持部２を両大腿部で挟み、本体部３を両大腿部上に載せたときに平面視で見て視認できる上部側面に、回転表示部３６を備え、制御部は、錘４４の回転速度に対応した速度で回転表示部３６を点灯させている。このようにすると、錘４４の回転速度が速いときは、回転表示部３６が早い速度で順次点灯し、回転速度が遅いときは遅い速度で順次点灯して、ユーザーにわかり易く、錘４４の回転によって大腿部にかかる負荷を表示することができる。
【００３７】
また、本実施形態の健康器具１では、本体部３は、着座状態で挟持部２を両大腿部で挟み、本体部３を両大腿部上に載せた本体部３を平面視で見て、本体部３の周辺部のうち両大腿部側に、取手部２０が形成されている。この健康器具１は、取手部２０を両手で持つと、手に錘４４の回転の負荷がかかるので、両腕の筋肉も鍛えることができる。
７．他の実施態様
上記実施形態では、モータ４０、クランク棒４２は、挟持部２を人間の両大腿部で挟んで両大腿部上に本体部３を置いたときに、腰側（後側）よりも膝側（前側）の方が高くなる回転面であって、本体部３の下面３ａに対し１８°傾いた回転面に沿って、錘４４が回転するように、健康器具１の内部に設置されている。しかし、回転面の傾きはこれに限るものではなく、例えば、８°〜２８°の範囲であれば、どのような角度でもよい。
【００３８】
上記実施形態では、錘４４を１５０、２１０、２３０ｒｐｍで回転させたが、１５０〜２５０ｒｐｍの回転数で錘４４を回転させてもよい。このとき、錘４４は、上記実施形態では２５０ｇとしたが、回転したとき、３〜５Ｎの遠心力が働く重さであればどのような重さでもよい。
【００３９】
上記実施形態では、挟持部２は、腰側から膝側に向かう方向に沿った幅が、１４ｃｍとなるように形成したが、１３ｃｍから１５ｃｍの幅で形成されていればよい。１３ｃｍ以下の幅で挟持部を形成すると、大腿部で挟みにくく、１５ｃｍ以上の幅で挟持部２を形成すると、挟持部２を挟んでも錘４４の回転による負荷を楽に保持できるので、両大腿部を効果的に鍛えることができない恐れがあるからである。
【００４０】
上記実施形態では、挟持部２の左右方向の幅のうちもっとも太い部分の幅２ｂは、７．５ｃｍとしたが、これに限るものではなく、５ｃｍ〜１０ｃｍ、より好ましくは、約６．５ｃｍ〜８．５ｃｍで形成されていればよい。
【００４１】
上記実施形態では、回転表示部３６として、点状のランプを用いたが、例えば、図９に示すように、棒状のランプ３６ａを用いてもよい。この場合、棒状のランプ３６ａは、円中心３６ｂから放射状上に配置してもよい。
【００４２】
また、本発明は、特許請求の範囲に記載された発明の趣旨に合致するものであればよく、上述の実施形態に限定されるものではない。
【図面の簡単な説明】
【００４３】
【図１】本実施形態の健康器具の斜視図である。
【図２】本実施形態の健康器具の平面図である。
【図３】本実施形態の健康器具の背面図である。
【図４】本実施形態の健康器具の背面図であってＡ−Ａ’断面図である。
【図５】本実施形態の健康器具の左側面図である。
【図６】本実施形態の健康器具の左側面図であってＢ−Ｂ’断面図である。
【図７】本実施形態のマニュアル制御のフローチャートである。
【図８】本実施形態の自動制御のフローチャートである。
【図９】本実施形態の変形例の説明図であって、健康器具の平面図である。
【符号の説明】
【００４４】
１…健康器具、２…挟持部、３…本体部、３ａ…下面、３ｂ…上面、２０…滑止部、３０…取手部、３２…操作スイッチ、３４…意匠、３６…回転表示部、４０…モータ、４０ａ…シャフト、４２…クランク棒、４４…錘、４６…制御部
【図１】
2008188346.tif 000003
【図２】
2008188346.tif 000004
【図３】
2008188346.tif 000005
【図４】
2008188346.tif 000006
【図５】
2008188346.tif 000007
【図６】
2008188346.tif 000008
【図７】
2008188346.tif 000009
【図８】
2008188346.tif 000010
【図９】
2008188346.tif 000011